(57)【要約】      （修正有）【課題】一般に普及している装置を使用して商品の真偽を検証することができる電子検証偽造防止ラベルを提供する。【解決手段】電子検証偽造防止ラベルは、商品情報の符号化画像を有する第１の二次元コード１と、ＵＲＬの符号化画像を有する第２の二次元コード２と、を含む。第１の二次元コード１は、第２の二次元コード２の一方の側面上に分離可能に結合される。第２の二次元コード２の他方の側面は、被検証商品に結合される。携帯型装置の撮影装置によって第１の二次元コード１を撮影すると、第１の二次元コード１が復号化されて商品情報が表示される。第２の二次元コード２を撮影すると、第２の二次元コード２が復号化されてＵＲＬが表示され、ＵＲＬの商品データベースに接続され、初回ユーザの情報を登録することができる上、商品データベースの検証情報と対比することによって商品の真偽を検証することができる。【選択図】図４Ｂ
0003188981.tif 000002
【実用新案登録請求の範囲】
【請求項１】
第１のＱＲコード及び第２のＱＲコードを備え、被検証商品上に結合することができる電子検証偽造防止ラベルであって、
前記第１のＱＲコードは、携帯型装置の撮影装置によって撮影されると、復号化され、前記携帯型装置のモニターに前記被検証商品の各種情報を表示する符号化画像である第１の符号化画像モジュールを有し、
前記第２のＱＲコードは、前記第１のＱＲコードを除去した後、前記携帯型装置の撮影装置によって撮影されると、ＵＲＬに復号化され、前記携帯型装置の無線インターネットモジュールにより、商品データベースモジュールの前記被検証商品の真偽を検証するＵＲＬに接続する符号化画像である第２の符号化画像モジュールを有し、
前記第１のＱＲコードは、前記第２のＱＲコードの一方の側面上に分離可能に結合され、前記第２のＱＲコードの他方の側面は、前記被検証商品上に結合されることを特徴とする電子検証偽造防止ラベル。
【請求項２】
前記第１のＱＲコード中の第１の符号化画像モジュールは、文字、符号又は画像であることを特徴とする請求項１に記載の電子検証偽造防止ラベル。
【請求項３】
前記第２のＱＲコードに対応する商品データベースモジュールは、初回ユーザの情報を登録する初回ユーザ情報登録サブモジュールを有することを特徴とする請求項１に記載の電子検証偽造防止ラベル。
【請求項４】
前記商品データベースモジュールは、検証情報が予め保存される第１の検証情報保存サブモジュールを有し、前記第２のＱＲコードは、対応する検証情報が保存される第２の検証情報保存サブモジュールを有することを特徴とする請求項１乃至３に記載の電子検証偽造防止ラベル。
【請求項５】
前記商品データベースモジュールの前記第１の検証情報保存サブモジュールには、乱数コードが予め保存され、前記第２のＱＲコードの前記第２の検証情報保存サブモジュールには、対応する乱数コードが保存されることを特徴とする請求項４に記載の電子検証偽造防止ラベル。
【請求項６】
前記第２のＱＲコードに対応する商品データベースモジュールは、
２次ユーザが認識を直接行うことができる検証情報が保存される第３の検証情報保存サブモジュール、又は／及び、初回ユーザの登録情報を読み取り、認識を行うために用いられる検証情報が保存される第４の検証情報保存サブモジュールを有することを特徴とする請求項５に記載の電子検証偽造防止ラベル。
【請求項７】
前記初回ユーザ情報登録サブモジュールは、個人情報、携帯電話識別コード又は携帯番号を初回ユーザ情報とすることを特徴とする請求項３に記載の電子検証偽造防止ラベル。
【請求項８】
前記第１のＱＲコード上面には、透明防水保護シートがさらに結合されることを特徴とする請求項１に記載の電子検証偽造防止ラベル。
【請求項９】
前記透明防水保護シートの一方の側面から延設される延設部をさらに有することを特徴とする請求項１に記載の電子検証偽造防止ラベル。
【請求項１０】
前記第１のＱＲコードの一方の側面から延設される延設部をさらに有することを特徴とする請求項９に記載の電子検証偽造防止ラベル。
【考案の詳細な説明】
【技術分野】
【０００１】
本考案は、偽造防止ラベルに関し、特に、２次元コードの偽造防止ラベルに関する。
【背景技術】
【０００２】
瓶容器の飲料、酒類などは、開閉部分である栓と瓶との間にラベルが貼られることにより、商品の真偽が認識されたり、ラベルが損壊しているか否かによって商品が開封されたか否かが認識される上、商品の包装が回収されて偽造商品が製造されることが防止されている。しかし、偽造技術も進歩しているため、従来のラベルで商品の真偽を判断することは難しく、回収された包装が２次使用され、偽造商品が製造されている。
【０００３】
従来の偽造防止ラベルとして、ＲＦＩＤラベルを利用したものが存在する。特許文献１は、ＲＦＩＤラベルが包装又は瓶上に結合されることにより、偽造商品の製造を防止するものである。しかし、特許文献１は、製造コストが高い上、ＲＦＩＤラベルを包装上に結合させるのに高い技術が必要であるため、使用上不便であるという問題を有する。特に、複雑なＲＦＩＤラベルは、導通又は遮断により、商品が開封されたか否かを判断する機能を有し、信号を受信して判断するには、特別なＲＦＩＤ受信装置が必要である（特許文献２参照）。このため、一般に普及している装置が使用され、利便性の高い偽造防止メカニズムが求められていた。
【先行技術文献】
【特許文献】
【０００４】
【特許文献１】台湾実用新案第Ｍ３３９１８号
【特許文献２】台湾特許第Ｉ３１４２９２号
【考案の概要】
【考案が解決しようとする課題】
【０００５】
本考案の目的は、利便性が高い上、偽造防止効果の高い電子検証偽造防止ラベルを提供することにある。
【課題を解決するための手段】
【０００６】
本考案は、電子検証偽造防止ラベルを提供するものである。本考案の電子検証偽造防止ラベルは、被検証商品上に結合することができ、第１のＱＲコード及び第２のＱＲコードを含む。第１のＱＲコードは、携帯型装置の撮影装置で撮影すると、復号化され、携帯型装置のモニターに被検証商品の各種情報を表示する符号化画像である第１の符号化画像モジュールを有する。第２のＱＲコードは、第１のＱＲコードを除去した後、携帯型装置の撮影装置で撮影すると、ＵＲＬに復号化され、携帯型装置の無線インターネットモジュールによって被検証商品の真偽を検証する商品データベースに接続する符号化画像である第２の符号化画像モジュールを有する。第１のＱＲコードは、第２のＱＲコードの一方の側面上に分離可能に結合される。第２のＱＲコードの他方の側面は、被検証商品上に結合される。
【０００７】
以上の構造により、携帯型装置の撮影装置によって被検証商品上の第１のＱＲコードの符号化画像を撮影すると、第１のＱＲコードが復号化され、携帯型装置のモニターに被検証商品の各種情報が表示され、ユーザに提供することができる。また、ユーザが第１のＱＲコードを除去し、携帯型装置の撮影装置によって第２のＱＲコードを撮影すると、携帯型装置の無線インターネットモジュールによって商品データベースモジュールに接続し、被検証商品の真偽を検証することができる。
【０００８】
第１のＱＲコード中の第１の符号化画像モジュールは、文字、符号又は画像を含む。
【０００９】
第２のＱＲコードに対応する商品データベースモジュールは、初回ユーザの情報を登録するために用いられる初回ユーザ情報登録サブモジュールを含む。
【００１０】
好ましくは、初回ユーザ情報登録サブモジュールは、個人情報、携帯電話識別コード又は携帯番号を初回ユーザ情報とする。
【００１１】
商品データベースモジュールは、検証情報を予め保存するために用いられる第１の検証情報保存サブモジュールを含む。第２のＱＲコードは、対応する検証情報を保存するために用いられる第２の検証情報保存サブモジュールを含む。
【００１２】
好ましくは、商品データベースモジュールの第１の検証情報保存サブモジュールには、乱数コードが予め保存される。第２のＱＲコードの第２の検証情報保存サブモジュールには、対応する乱数コードが予め保存される。
【００１３】
好ましくは、第２のＱＲコードに対応する商品データベースモジュールは、２次ユーザが検証を直接行うことができる検証情報が保存される第３の検証情報保存サブモジュールを含む。又は／及び、第２のＱＲコードに対応する商品データベースモジュールは、初回ユーザの登録情報を読み取り、検証を行うために用いられる検証情報が保存される第４の検証情報保存サブモジュールを含む。
【考案の効果】
【００１４】
本考案は、２次元コードと、携帯電話などの一般に普及している装置と、ソフトウェアと、が組み合わされて利用されることにより、従来技術の問題を解決することができる。本考案で採用されるＱＲコードは、市場において符号化及び復号化が共通な２次元コードプログラムであり、携帯型装置によってＱＲコード中の符号化された各種文字、符号及び画像を即座に復号化し、モニターに表示してユーザに認識させることができる。さらに好ましくは、ＱＲコードは、符号化したＵＲＬを有し、携帯電話によって復号化することによってＵＲＬを表示し、これと同時に、ブルートゥース、３Ｇ、ＷｉＦｉなどの無線インターネット接続方式により、被検証商品の真偽を検証することができる商品データベースのＵＲＬに接続し、商品データベースに保存された検証情報にインターネット接続することによって検証を行い、商品の真偽を検証することができる。
【図面の簡単な説明】
【００１５】
【図１】本考案の一実施形態中、携帯型装置のアプリケーションソフトにより、商品の検証を行う状態を示す模式図である。（図１中、Ａは、スマートフォンがアプリケーションソフトを実行する状態を示す。Ｂは、スマートフォンの撮影装置が被検証商品上の第１のＱＲコードの符号化画像を撮影する状態を示す。Ｃは、符号化画像がスマートフォンの画像処理モジュールによって復号化され、復号化された情報がスマートフォンのモニターに表示された状態を示す。）
【図２】本考案の一実施形態中、スマートフォンのアプリケーションソフトにより、商品の検証を行う状態を示す模式図である。（図２中、Ａは、ユーザが第１のＱＲコードラベルを除去し、第２のＱＲコードが出現した状態を示す。Ｂは、スマートフォンの撮影装置が第２のＱＲコードの符号化画像を撮影する状態を示す。Ｃは、符号化画像がスマートフォンのＱＲコード画像処理モジュールによってＵＲＬに復号化され、商品データベースモジュールにインターネット接続し、商品の真偽を検証する状態を示す。Ｄは、商品が本物であることを検証した状態を示す。Ｅは、商品が偽造品であることを検証した状態を示す。
【図３】本考案の一実施形態中、スマートフォンのアプリケーションソフトにより、商品の検証を行う状態を示す模式図である。（図３中、Ａは、スマートフォンがアプリケーションソフトを実行する状態を示す。Ｂは、スマートフォンの撮影装置が第２のＱＲコードの符号化画像を撮影し、第２のＱＲコードがＵＲＬに復号化され、被検証商品の商品データベースモジュールにインターネット接続した状態を示す。Ｃは、スマートフォンのアプリケーションソフトにより、初回ユーザが商品データベースに商品所有者としての情報を登録する状態を示す。Ｄは、スマートフォンのアプリケーションソフトにより、商品データベースモジュール中の符号化された検証情報番号を認識し、商品の第２のＱＲコードの検証情報と同一又は対応するか否かを検証する状態示す。Ｅは、検証情報が同一又は対応すると認識し、スマートフォンのモニターに本物と表示された状態を示す。Ｆは、検証情報が同一又は対応せず、スマートフォンのモニターに偽造品と表示された状態を示す。
【図４Ａ】本考案の一実施形態による電子検証偽造防止ラベルを示す断面図である。
【図４Ｂ】本考案の一実施形態による電子検証偽造防止ラベルを示す平面図である。
【図５】本考案の一実施形態による電子検証偽造防止ラベルを瓶に貼った状態を示す平面図である。
【考案を実施するための形態】
【００１６】
本考案の目的、特徴及び効果を示す実施形態を図面に沿って詳細に説明する。
【００１７】
図１Ａ〜図２Ｅを参照する。図１Ａ〜図２Ｅに示すように、本考案の電子検証偽造防止ラベルは、１つの第１のＱＲコード１及び１つの第２のＱＲコード２を含む。本実施形態中、第１のＱＲコード１は、結合又は除去を行うことができるシールにＱＲコードが搭載されたものである。第１のＱＲコード１の第１の符号化画像モジュール１１は、符号化画像を含む。本実施形態中、第２のＱＲコード２は、結合又は除去を行うことができるシールにＱＲコードが搭載されたものである。第２のＱＲコード２の第２の符号化画像モジュール２１は、符号化画像を含む。第１のＱＲコード１は、第２のＱＲコード２の一方の側面上に分離可能に結合される。第２のＱＲコード２の他方の側面は、被検証商品Ｐ上に結合される。
【００１８】
本考案の電子検証偽造防止ラベルの第２のＱＲコード２に対応する商品データベースモジュールは、予め保存される乱数コードを含む。予め保存される乱数コードの情報が商品上の全ての第２のＱＲコード２の乱数コードの情報と同一であるか否かにより、商品の真偽が検証される。
【００１９】
電子検証偽造防止ラベルには、メーカーによって製品情報コードが予め設置され、被検証商品上に結合される。スマートフォンなどの携帯型装置３に含まれるアプリケーションソフトが運用され、携帯型装置３の撮影装置によって被検証商品上の第１のＱＲコード１の第１の符号化画像モジュール１１の符号化画像が撮影される。符号化画像は、携帯型装置３のＱＲコード画像処理モジュールによって復号化され、復号化された情報が携帯型装置３のモニターに表示される。これにより、ユーザは、被検証商品の各種情報を知ることができる。また、商品の真偽を検証するために、ユーザが第１のＱＲコード１を除去すると、第２のＱＲコード２が出現する。携帯型装置３の撮影装置によって第２のＱＲコード２の第２の符号化画像モジュール２１の符号化画像が撮影されると、符号化画像は、携帯型装置３のＱＲコード画像処理モジュールによってＵＲＬに復号化され、携帯型装置３のモニターに表示される。また、ブルートゥース、３Ｇ、ＷｉＦｉなどの携帯型装置３の無線インターネット機能により、商品データベースモジュールに接続され、商品データベースモジュールに予め保存された検証情報にインターネット接続され、商品データベースモジュール中に予め保存された検証情報と、商品の第２のＱＲコード２の符号化された検証情報と、を対比し、商品の真偽を検証することができる。
【００２０】
図１Ｃを参照する。第１のＱＲコード１の符号化画像の情報は、文字、符号又は画像を含む。ユーザが携帯型装置３の撮影装置により、被検証商品上の第１のＱＲコード１の第１の符号化画像モジュール１１の符号化画像を撮影すると、携帯型装置３の画像処理モジュールによって復号化され、商品図、製造日、保存期限、製造者、販売者、使用説明、商品ＵＲＬ（検証用のＵＲＬではない）などの情報が携帯型装置３のモニターに表示される。これにより、ユーザは、商品の各種情報がユーザが所持する被検証商品Ｐと符合するか否かを初期認識することができる。
【００２１】図３Ａ〜図３Ｅを参照する。第２のＱＲコード２により、ＵＲＬに復号化してデータベースに接続する機能は、（公序良俗違反につき、不掲載）などの共通ソフトウェアが採用され、初回ユーザの情報を自動的に登録し、ＵＲＬによって接続される商品データベースモジュールに商品の所有者として登録する。また、携帯型装置３のアプリケーションソフトなどの上述の共通ソフトウェア（図３Ａ参照）が利用され、撮影装置によって第２のＱＲコード２のＵＲＬが撮影されると、被検証商品の商品データベースモジュールに接続する（図３Ｂ参照）。例えば、ＷｅＣｈａｔなどの携帯型装置３のアプリケーションソフト及び上述の共通ソフトウェアは、初回ユーザの情報を商品データベースモジュールに商品の所有者として登録する（図３Ｃ参照）。携帯型装置３のアプリケーションソフトなどの共通ソフトウェアにより、ＱＲコード中の符号化された検証番号が商品上の全ての第２のＱＲコード２の情報乱数コードと同一又は対応するか否かを認識する（図３Ｄ参照）。同一又は対応すると認識すると、携帯型装置３のモニターに本物という文字を表示する。又は／及び、これと同時に商品の関連情報を提供し、検証者の情報及び使用日を記録する（図３Ｅ参照）。同一又は対応しないと認識すると、携帯型装置３のモニターに偽造品という文字を表示する。又は／及び、これと同時に警告文及び法律に抵触するという内容の文を表示し、商品データベースモジュールに記録する（図３Ｆ参照）。
【００２２】
商品データベースモジュールには、所有権者の登録情報が保存され、商品生産メーカーは、検証を行うウィンドウに登録される所有権者の登録情報を有するため、偽造品が市場に流入するのを防止することができる。また、商品の購買者又はユーザは、商品の財産所有者の情報を直接認識することができる。
【００２３】
本考案の実施形態として、接続される商品データベースモジュールは、予め保存される検証情報を含む。また、第２のＱＲコード２は、予め保存される検証情報を含み、検証情報は、商品データベースモジュール中の検証情報と同一又は対応する。
【００２４】
商品データベースモジュールの検証情報は、第１のサブモジュール中に予め保存される乱数コードをさらに含む。第２のＱＲコード２の検証情報は、第２のサブモジュール中に予め保存される乱数コードをさらに含む。商品データベースモジュール中に予め保存される乱数コードが商品上の全ての第２のＱＲコード２の乱数コードと同一であるか否かにより、商品の真偽が検証される。ユーザが携帯型装置３の撮影装置によって第２のＱＲコード２の符号化画像に予め保存された乱数コードを撮影し、ＵＲＬによって被検証商品の商品データベースモジュール中に予め保存された乱数コードに接続すると、予め保存された乱数コード情報は、携帯型装置３のアプリケーションソフトなどの共通ソフトウェアにより、ＱＲコード中の符号化された検証番号が商品上の全ての第２のＱＲコード２の乱数コード情報と同一であるか否かを認識する。本物であると認識すると、携帯型装置３のモニターに本物という文字を表示する。又は／及び、これと同時に商品の関連情報を提供し、検証者の情報及び使用日を記録する（図３Ｅ参照）。偽造品であると認識すると、携帯型装置３のモニターに偽造品という文字を表示する。又は／及び、これと同時に警告文及び法律に抵触するという内容の文を表示し、商品データベースモジュールに記録する（図３Ｆ参照）。
【００２５】
本考案の実施形態として、第２のＱＲコード２の商品データベースモジュールには、２次ユーザ（一般ユーザ）が直接認識を行うことができる検証情報が予め保存される第３のサブモジュールを含む。又は／及び、初回ユーザの登録情報を読み取り、認識を行う検証情報が予め保存される第４のサブモジュールを含む。２次ユーザ（一般ユーザ）は、携帯型装置３によって被検証商品のホームページに接続し、初回ユーザの情報を直接認識又は／及び読み取り、認識を行うことができる。
【００２６】
本考案の実施形態中、携帯型装置３は、スマートフォン、タブレット型パソコン又はノートブック型パソコンであり、アプリケーションソフト、画像処理モジュール、無線インターネット機能などを有する。
【００２７】
本考案の実施形態中、初回ユーザの情報は、個人名、携帯電話識別コード又は携帯番号を含み、何れも被検証商品及び商品の生産メーカーを検証するウィンドウの項目とされる。
【００２８】
図４Ａ及び図４Ｂを参照する。図４Ａ及び図４Ｂは、本考案の一実施形態を示し、１層の透明防水保護シート４が結合される。透明防水保護シート４は、第１のＱＲコード１の上側に結合される。透明防水保護シート４は、透明防水機能を有する粘着シートであり、電子検証偽造防止シールを保護し、水分が浸入したり、外力によって損壊するのを防止する。
【００２９】
図５を参照する。図５は、本考案の一実施形態を示し、延設部１３をさらに含む。本実施形態中、延設部１３は、透明防水保護シート４の一方の側部から延設される。延設部１３の自由端は、商品、包装容器又は瓶の開閉部分（例えば、酒瓶、飲料瓶の栓と開口との間）に結合される。一実施形態中、延設部１３は、第１のＱＲコード１の一方の側部から延設する。延設部１３が破損又は除去されているか否かによって商品が使用又は開封されたか否かを判断したり、商品を返品するか否かを決定したりする。また、本考案の電子検証偽造防止ラベルが２次使用されるのが防止される。
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３１】
１  第１のＱＲコード
１１  第１の符号化画像モジュール
１３  延設部
２  第２のＱＲコード
２１  第２の符号化画像モジュール
３  携帯型装置
４  透明防水保護シート
【図１】
0003188981.tif 000003
【図２】
0003188981.tif 000004
【図３】
0003188981.tif 000005
【図４Ａ】
0003188981.tif 000006
【図４Ｂ】
0003188981.tif 000007
【図５】
0003188981.tif 000008
【手続補正書】
【提出日】平成25年12月11日(2013.12.11)
【手続補正１】
【補正対象書類名】明細書
【補正対象項目名】全文
【補正方法】変更
【補正の内容】
【考案の詳細な説明】
【技術分野】
【０００１】
本考案は、偽造防止ラベルに関し、特に、２次元コードの偽造防止ラベルに関する。 
【背景技術】
【０００２】
瓶容器の飲料、酒類などは、開閉部分である栓と瓶との間にラベルが貼られることにより、商品の真偽が認識されたり、ラベルが損壊しているか否かによって商品が開封されたか否かが認識される上、商品の包装が回収されて偽造商品が製造されることが防止されている。しかし、偽造技術も進歩しているため、従来のラベルで商品の真偽を判断することは難しく、回収された包装が２次使用され、偽造商品が製造されている。 
【０００３】
従来の偽造防止ラベルとして、ＲＦＩＤラベルを利用したものが存在する。特許文献１は、ＲＦＩＤラベルが包装又は瓶上に結合されることにより、偽造商品の製造を防止するものである。しかし、特許文献１は、製造コストが高い上、ＲＦＩＤラベルを包装上に結合させるのに高い技術が必要であるため、使用上不便であるという問題を有する。特に、複雑なＲＦＩＤラベルは、導通又は遮断により、商品が開封されたか否かを判断する機能を有し、信号を受信して判断するには、特別なＲＦＩＤ受信装置が必要である（特許文献２参照）。このため、一般に普及している装置が使用され、利便性の高い偽造防止メカニズムが求められていた。 
【先行技術文献】
【特許文献】
【０００４】
【特許文献１】台湾実用新案第Ｍ３３９１８号
【特許文献２】台湾特許第Ｉ３１４２９２号
【考案の概要】
【考案が解決しようとする課題】
【０００５】
本考案の目的は、利便性が高い上、偽造防止効果の高い電子検証偽造防止ラベルを提供することにある。 
【課題を解決するための手段】
【０００６】
本考案は、電子検証偽造防止ラベルを提供するものである。本考案の電子検証偽造防止ラベルは、被検証商品上に結合することができ、第１の二次元コード及び第２の二次元コードを含む。第１の二次元コードは、携帯型装置の撮影装置で撮影すると、復号化され、携帯型装置のモニターに被検証商品の各種情報を表示する符号化画像である第１の符号化画像モジュールを有する。第２の二次元コードは、第１の二次元コードを除去した後、携帯型装置の撮影装置で撮影すると、ＵＲＬに復号化され、携帯型装置の無線インターネットモジュールによって被検証商品の真偽を検証する商品データベースに接続する符号化画像である第２の符号化画像モジュールを有する。第１の二次元コードは、第２の二次元コードの一方の側面上に分離可能に結合される。第２の二次元コードの他方の側面は、被検証商品上に結合される。   
【０００７】
以上の構造により、携帯型装置の撮影装置によって被検証商品上の第１の二次元コードの符号化画像を撮影すると、第１の二次元コードが復号化され、携帯型装置のモニターに被検証商品の各種情報が表示され、ユーザに提供することができる。また、ユーザが第１の二次元コードを除去し、携帯型装置の撮影装置によって第２の二次元コードを撮影すると、携帯型装置の無線インターネットモジュールによって商品データベースモジュールに接続し、被検証商品の真偽を検証することができる。 
【０００８】
第１の二次元コード中の第１の符号化画像モジュールは、文字、符号又は画像を含む。 
【０００９】
第２の二次元コードに対応する商品データベースモジュールは、初回ユーザの情報を登録するために用いられる初回ユーザ情報登録サブモジュールを含む。   
【００１０】
好ましくは、初回ユーザ情報登録サブモジュールは、個人情報、携帯電話識別コード又は携帯番号を初回ユーザ情報とする。 
【００１１】
商品データベースモジュールは、検証情報を予め保存するために用いられる第１の検証情報保存サブモジュールを含む。第２の二次元コードは、対応する検証情報を保存するために用いられる第２の検証情報保存サブモジュールを含む。 
【００１２】
好ましくは、商品データベースモジュールの第１の検証情報保存サブモジュールには、乱数コードが予め保存される。第２の二次元コードの第２の検証情報保存サブモジュールには、対応する乱数コードが予め保存される。 
【００１３】
好ましくは、第２の二次元コードに対応する商品データベースモジュールは、２次ユーザが検証を直接行うことができる検証情報が保存される第３の検証情報保存サブモジュールを含む。又は／及び、第２の二次元コードに対応する商品データベースモジュールは、初回ユーザの登録情報を読み取り、検証を行うために用いられる検証情報が保存される第４の検証情報保存サブモジュールを含む。 
【考案の効果】
【００１４】
本考案は、２次元コードと、携帯電話などの一般に普及している装置と、ソフトウェアと、が組み合わされて利用されることにより、従来技術の問題を解決することができる。本考案で採用される二次元コードは、市場において符号化及び復号化が共通な２次元コードプログラムであり、携帯型装置によって二次元コード中の符号化された各種文字、符号及び画像を即座に復号化し、モニターに表示してユーザに認識させることができる。さらに好ましくは、二次元コードは、符号化したＵＲＬを有し、携帯電話によって復号化することによってＵＲＬを表示し、これと同時に、ブルートゥース、３Ｇ、ＷｉＦｉなどの無線インターネット接続方式により、被検証商品の真偽を検証することができる商品データベースのＵＲＬに接続し、商品データベースに保存された検証情報にインターネット接続することによって検証を行い、商品の真偽を検証することができる。 
【図面の簡単な説明】
【００１５】
【図１】本考案の一実施形態中、携帯型装置のアプリケーションソフトにより、商品の検証を行う状態を示す模式図である。（図１中、Ａは、スマートフォンがアプリケーションソフトを実行する状態を示す。Ｂは、スマートフォンの撮影装置が被検証商品上の第１の二次元コードの符号化画像を撮影する状態を示す。Ｃは、符号化画像がスマートフォンの画像処理モジュールによって復号化され、復号化された情報がスマートフォンのモニターに表示された状態を示す。）
【図２】本考案の一実施形態中、スマートフォンのアプリケーションソフトにより、商品の検証を行う状態を示す模式図である。（図２中、Ａは、ユーザが第１の二次元コードラベルを除去し、第２の二次元コードが出現した状態を示す。Ｂは、スマートフォンの撮影装置が第２の二次元コードの符号化画像を撮影する状態を示す。Ｃは、符号化画像がスマートフォンの二次元コード画像処理モジュールによってＵＲＬに復号化され、商品データベースモジュールにインターネット接続し、商品の真偽を検証する状態を示す。Ｄは、商品が本物であることを検証した状態を示す。Ｅは、商品が偽造品であることを検証した状態を示す。
【図３】本考案の一実施形態中、スマートフォンのアプリケーションソフトにより、商品の検証を行う状態を示す模式図である。（図３中、Ａは、スマートフォンがアプリケーションソフトを実行する状態を示す。Ｂは、スマートフォンの撮影装置が第２の二次元コードの符号化画像を撮影し、第２の二次元コードがＵＲＬに復号化され、被検証商品の商品データベースモジュールにインターネット接続した状態を示す。Ｃは、スマートフォンのアプリケーションソフトにより、初回ユーザが商品データベースに商品所有者としての情報を登録する状態を示す。Ｄは、スマートフォンのアプリケーションソフトにより、商品データベースモジュール中の符号化された検証情報番号を認識し、商品の第２の二次元コードの検証情報と同一又は対応するか否かを検証する状態示す。Ｅは、検証情報が同一又は対応すると認識し、スマートフォンのモニターに本物と表示された状態を示す。Ｆは、検証情報が同一又は対応せず、スマートフォンのモニターに偽造品と表示された状態を示す。
【図４Ａ】本考案の一実施形態による電子検証偽造防止ラベルを示す断面図である。
【図４Ｂ】本考案の一実施形態による電子検証偽造防止ラベルを示す平面図である。
【図５】本考案の一実施形態による電子検証偽造防止ラベルを瓶に貼った状態を示す平面図である。
【考案を実施するための形態】
【００１６】
本考案の目的、特徴及び効果を示す実施形態を図面に沿って詳細に説明する。 
【００１７】
図１Ａ〜図２Ｅを参照する。図１Ａ〜図２Ｅに示すように、本考案の電子検証偽造防止ラベルは、１つの第１の二次元コード１及び１つの第２の二次元コード２を含む。本実施形態中、第１の二次元コード１は、結合又は除去を行うことができるシールに二次元コードが搭載されたものである。第１の二次元コード１の第１の符号化画像モジュール１１は、符号化画像を含む。本実施形態中、第２の二次元コード２は、結合又は除去を行うことができるシールに二次元コードが搭載されたものである。第２の二次元コード２の第２の符号化画像モジュール２１は、符号化画像を含む。第１の二次元コード１は、第２の二次元コード２の一方の側面上に分離可能に結合される。第２の二次元コード２の他方の側面は、被検証商品Ｐ上に結合される。 
【００１８】
本考案の電子検証偽造防止ラベルの第２の二次元コード２に対応する商品データベースモジュールは、予め保存される乱数コードを含む。予め保存される乱数コードの情報が商品上の全ての第２の二次元コード２の乱数コードの情報と同一であるか否かにより、商品の真偽が検証される。 
【００１９】
電子検証偽造防止ラベルには、メーカーによって製品情報コードが予め設置され、被検証商品上に結合される。スマートフォンなどの携帯型装置３に含まれるアプリケーションソフトが運用され、携帯型装置３の撮影装置によって被検証商品上の第１の二次元コード１の第１の符号化画像モジュール１１の符号化画像が撮影される。符号化画像は、携帯型装置３の二次元コード画像処理モジュールによって復号化され、復号化された情報が携帯型装置３のモニターに表示される。これにより、ユーザは、被検証商品の各種情報を知ることができる。また、商品の真偽を検証するために、ユーザが第１の二次元コード１を除去すると、第２の二次元コード２が出現する。携帯型装置３の撮影装置によって第２の二次元コード２の第２の符号化画像モジュール２１の符号化画像が撮影されると、符号化画像は、携帯型装置３の二次元コード画像処理モジュールによってＵＲＬに復号化され、携帯型装置３のモニターに表示される。また、ブルートゥース、３Ｇ、ＷｉＦｉなどの携帯型装置３の無線インターネット機能により、商品データベースモジュールに接続され、商品データベースモジュールに予め保存された検証情報にインターネット接続され、商品データベースモジュール中に予め保存された検証情報と、商品の第２の二次元コード２の符号化された検証情報と、を対比し、商品の真偽を検証することができる。 
【００２０】
図１Ｃを参照する。第１の二次元コード１の符号化画像の情報は、文字、符号又は画像を含む。ユーザが携帯型装置３の撮影装置により、被検証商品上の第１の二次元コード１の第１の符号化画像モジュール１１の符号化画像を撮影すると、携帯型装置３の画像処理モジュールによって復号化され、商品図、製造日、保存期限、製造者、販売者、使用説明、商品ＵＲＬ（検証用のＵＲＬではない）などの情報が携帯型装置３のモニターに表示される。これにより、ユーザは、商品の各種情報がユーザが所持する被検証商品Ｐと符合するか否かを初期認識することができる。 
【００２１】
図３Ａ〜図３Ｅを参照する。第２の二次元コード２により、ＵＲＬに復号化してデータベースに接続する機能は、ソーシャル・ネットワーキング・サービス、インスタントメッセンジャーなどの共通ソフトウェアが採用され、初
回ユーザの情報を自動的に登録し、ＵＲＬによって接続される商品データベースモジュールに商品の所有者として登録する。また、携帯型装置３のアプリケーションソフトなどの上述の共通ソフトウェア（図３Ａ参照）が利用され、撮影装置によって第２の二次元コード２のＵＲＬが撮影されると、被検証商品の商品データベースモジュールに接続する（図３Ｂ参照）。例えば、ＷｅＣｈａｔなどの携帯型装置３のアプリケーションソフト及び上述の共通ソフトウェアは、初回ユーザの情報を商品データベースモジュールに商品の所有者として登録する（図３Ｃ参照）。携帯型装置３のアプリケーションソフトなどの共通ソフトウェアにより、二次元コード中の符号化された検証番号が商品上の全ての第２の二次元コード２の情報乱数コードと同一又は対応するか否かを認識する（図３Ｄ参照）。同一又は対応すると認識すると、携帯型装置３のモニターに本物という文字を表示する。又は／及び、これと同時に商品の関連情報を提供し、検証者の情報及び使用日を記録する（図３Ｅ参照）。同一又は対応しないと認識すると、携帯型装置３のモニターに偽造品という文字を表示する。又は／及び、これと同時に警告文及び法律に抵触するという内容の文を表示し、商品データベースモジュールに記録する（図３Ｆ参照）。 
【００２２】
商品データベースモジュールには、所有権者の登録情報が保存され、商品生産メーカーは、検証を行うウィンドウに登録される所有権者の登録情報を有するため、偽造品が市場に流入するのを防止することができる。また、商品の購買者又はユーザは、商品の財産所有者の情報を直接認識することができる。 
【００２３】
本考案の実施形態として、接続される商品データベースモジュールは、予め保存される検証情報を含む。また、第２の二次元コード２は、予め保存される検証情報を含み、検証情報は、商品データベースモジュール中の検証情報と同一又は対応する。 
【００２４】
商品データベースモジュールの検証情報は、第１のサブモジュール中に予め保存される乱数コードをさらに含む。第２の二次元コード２の検証情報は、第２のサブモジュール中に予め保存される乱数コードをさらに含む。商品データベースモジュール中に予め保存される乱数コードが商品上の全ての第２の二次元コード２の乱数コードと同一であるか否かにより、商品の真偽が検証される。ユーザが携帯型装置３の撮影装置によって第２の二次元コード２の符号化画像に予め保存された乱数コードを撮影し、ＵＲＬによって被検証商品の商品データベースモジュール中に予め保存された乱数コードに接続すると、予め保存された乱数コード情報は、携帯型装置３のアプリケーションソフトなどの共通ソフトウェアにより、二次元コード中の符号化された検証番号が商品上の全ての第２の二次元コード２の乱数コード情報と同一であるか否かを認識する。本物であると認識すると、携帯型装置３のモニターに本物という文字を表示する。又は／及び、これと同時に商品の関連情報を提供し、検証者の情報及び使用日を記録する（図３Ｅ参照）。偽造品であると認識すると、携帯型装置３のモニターに偽造品という文字を表示する。又は／及び、これと同時に警告文及び法律に抵触するという内容の文を表示し、商品データベースモジュールに記録する（図３Ｆ参照）。 
【００２５】
本考案の実施形態として、第２の二次元コード２の商品データベースモジュールには、２次ユーザ（一般ユーザ）が直接認識を行うことができる検証情報が予め保存される第３のサブモジュールを含む。又は／及び、初回ユーザの登録情報を読み取り、認識を行う検証情報が予め保存される第４のサブモジュールを含む。２次ユーザ（一般ユーザ）は、携帯型装置３によって被検証商品のホームページに接続し、初回ユーザの情報を直接認識又は／及び読み取り、認識を行うことができる。 
【００２６】
本考案の実施形態中、携帯型装置３は、スマートフォン、タブレット型パソコン又はノートブック型パソコンであり、アプリケーションソフト、画像処理モジュール、無線インターネット機能などを有する。 
【００２７】
本考案の実施形態中、初回ユーザの情報は、個人名、携帯電話識別コード又は携帯番号を含み、何れも被検証商品及び商品の生産メーカーを検証するウィンドウの項目とされる。 
【００２８】
図４Ａ及び図４Ｂを参照する。図４Ａ及び図４Ｂは、本考案の一実施形態を示し、１層の透明防水保護シート４が結合される。透明防水保護シート４は、第１の二次元コード１の上側に結合される。透明防水保護シート４は、透明防水機能を有する粘着シートであり、電子検証偽造防止シールを保護し、水分が浸入したり、外力によって損壊するのを防止する。 
【００２９】
図５を参照する。図５は、本考案の一実施形態を示し、延設部１３をさらに含む。本実施形態中、延設部１３は、透明防水保護シート４の一方の側部から延設される。延設部１３の自由端は、商品、包装容器又は瓶の開閉部分（例えば、酒瓶、飲料瓶の栓と開口との間）に結合される。一実施形態中、延設部１３は、第１の二次元コード１の一方の側部から延設する。延設部１３が破損又は除去されているか否かによって商品が使用又は開封されたか否かを判断したり、商品を返品するか否かを決定したりする。また、本考案の電子検証偽造防止ラベルが２次使用されるのが防止される。 
【００３０】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。 
【符号の説明】
【００３１】
１  第１の二次元コード   １１  第１の符号化画像モジュール   １３  延設部   ２  第２の二次元コード   ２１  第２の符号化画像モジュール   ３  携帯型装置   ４  透明防水保護シート 
【手続補正２】
【補正対象書類名】実用新案登録請求の範囲
【補正対象項目名】全文
【補正方法】変更
【補正の内容】
【実用新案登録請求の範囲】
【請求項１】
第１の二次元コード及び第２の二次元コードを備え、被検証商品上に結合することができる電子検証偽造防止ラベルであって、   前記第１の二次元コードは、携帯型装置の撮影装置によって撮影されると、復号化され、前記携帯型装置のモニターに前記被検証商品の各種情報を表示する符号化画像である第１の符号化画像モジュールを有し、   前記第２の二次元コードは、前記第１の二次元コードを除去した後、前記携帯型装置の撮影装置によって撮影されると、ＵＲＬに復号化され、前記携帯型装置の無線インターネットモジュールにより、商品データベースモジュールの前記被検証商品の真偽を検証するＵＲＬに接続する符号化画像である第２の符号化画像モジュールを有し、 前記第１の二次元コードは、前記第２の二次元コードの一方の側面上に分離可能に結合され、前記第２の二次元コードの他方の側面は、前記被検証商品上に結合されることを特徴とする電子検証偽造防止ラベル。 
【請求項２】
前記第１の二次元コード中の第１の符号化画像モジュールは、文字、符号又は画像であることを特徴とする請求項１に記載の電子検証偽造防止ラベル。 
【請求項３】
前記第２の二次元コードに対応する商品データベースモジュールは、初回ユーザの情報を登録する初回ユーザ情報登録サブモジュールを有することを特徴とする請求項１に記載の電子検証偽造防止ラベル。 
【請求項４】
前記商品データベースモジュールは、検証情報が予め保存される第１の検証情報保存サブモジュールを有し、前記第２の二次元コードは、対応する検証情報が保存される第２の検証情報保存サブモジュールを有することを特徴とする請求項１乃至３のいずれかに記載の電子検証偽造防止ラベル。 
【請求項５】
前記商品データベースモジュールの前記第１の検証情報保存サブモジュールには、乱数コードが予め保存され、前記第２の二次元コードの前記第２の検証情報保存サブモジュールには、対応する乱数コードが保存されることを特徴とする請求項４に記載の電子検証偽造防止ラベル。 
【請求項６】
前記第２の二次元コードに対応する商品データベースモジュールは、   ２次ユーザが認識を直接行うことができる検証情報が保存される第３の検証情報保存サブモジュール、又は／及び、初回ユーザの登録情報を読み取り、認識を行うために用いられる検証情報が保存される第４の検証情報保存サブモジュールを有することを特徴とする請求項５に記載の電子検証偽造防止ラベル。 
【請求項７】
前記初回ユーザ情報登録サブモジュールは、個人情報、携帯電話識別コード又は携帯番号を初回ユーザ情報とすることを特徴とする請求項３に記載の電子検証偽造防止ラベル。 
【請求項８】
前記第１の二次元コード上面には、透明防水保護シートがさらに結合されることを特徴とする請求項１に記載の電子検証偽造防止ラベル。 
【請求項９】
前記透明防水保護シートの一方の側面から延設される延設部をさらに有することを特徴とする請求項１に記載の電子検証偽造防止ラベル。 
【請求項１０】
前記第１の二次元コードの一方の側面から延設される延設部をさらに有することを特徴とする請求項９に記載の電子検証偽造防止ラベル。 
【手続補正３】
【補正対象書類名】図面
【補正対象項目名】図１
【補正方法】変更
【補正の内容】
【図１】
0003188981.tif 000009
【手続補正４】
【補正対象書類名】図面
【補正対象項目名】図２
【補正方法】変更
【補正の内容】
【図２】
0003188981.tif 000010
【手続補正５】
【補正対象書類名】図面
【補正対象項目名】図３
【補正方法】変更
【補正の内容】
【図３】
0003188981.tif 000011